(57)【要約】【課題】容易に未塗工部群とケースを絶縁できる蓄電装置を提供する。【解決手段】電極組立体１２と、タブ群２７ａと、ケース１１と、絶縁フィルム１３と、電極端子４０と、一対の導電部材４２と、絶縁カバー５０とを備える。電極の積層方向のうち、第２絶縁部５２の位置する一端側とは異なる他端側に位置し、かつタブ群２７の最外層に位置するタブ２７１を被覆し、タブ群２７ａとケース１１とを絶縁する絶縁膜５５を備える。電極の積層方向のうち、第２絶縁部５２の位置する一端側とは異なる他端側に位置し、かつ最外層に位置するセパレータが電極接合部に向かって延びている。【選択図】図４
2018006112.tif 000002
【特許請求の範囲】
【請求項１】
異なる極性の複数の電極が互いにセパレータにより絶縁されて積層された状態の電極組立体と、
前記電極の一辺から突出した形状の未塗工部を同じ極性同士で積層し、前記電極組立体の端面から突出した形状の未塗工部群と、
前記電極組立体及び前記未塗工部群を収容したケースと、
前記電極組立体と前記ケースとを絶縁する絶縁フィルムと、
前記ケースの壁部から前記電極組立体に向けて突出した基部を有し、前記壁部に固定された各極性の電極端子と、
同じ極性の前記電極の前記未塗工部群と接合された電極接合部、及び同じ極性の前記電極端子の前記基部と接合された端子接続部を有し、前記ケースの壁部と該壁部に対峙した前記電極組立体の端面との間に配置された一対の導電部材と、
一対の前記電極接合部と前記壁部との間に介在する第１絶縁部、及び前記電極の積層方向のいずれか一端側に位置し、両極性の前記電極接合部及び前記未塗工部群と前記ケースとの間に介在する第２絶縁部を有する絶縁カバーと、
を備える蓄電装置であって、
前記電極の積層方向のうち、前記第２絶縁部の位置する一端側とは異なる他端側に位置し、かつ前記未塗工部群の最外層に位置する前記未塗工部を被覆し、前記未塗工部群と前記ケースとを絶縁する絶縁膜を備えるとともに、
前記電極の積層方向のうち、前記第２絶縁部の位置する一端側とは異なる他端側に位置し、かつ最外層に位置する前記セパレータが前記電極接合部に向かって延びていることを特徴とする蓄電装置。
【請求項２】
前記未塗工部群は、複数の前記未塗工部を前記積層方向の一端に寄せ集め、かつ積層方向の他端に向けて折り曲げられた構造を有し、
前記絶縁カバーの前記第２絶縁部は、前記積層方向他端側に配置されて前記最外層の前記未塗工部の先端部と前記ケースとの間に介在し、
前記絶縁膜は、前記積層方向一端側において前記最外層の前記未塗工部の基端部を被覆し、
前記電極接合部に向かって延びる前記セパレータは、前記積層方向一端側において前記最外層の前記未塗工部の基端部に配置されている請求項１に記載の蓄電装置。
【請求項３】
前記未塗工部群は、複数の前記未塗工部を前記積層方向の一端に寄せ集め、かつ積層方向の他端に向けて折り曲げられた構造を有し、
前記絶縁カバーの前記第２絶縁部は、前記積層方向一端側に配置されて前記最外層の前記未塗工部の基端部と前記ケースとの間に介在し、
前記絶縁膜は、前記積層方向他端側において前記最外層の前記未塗工部を被覆し、
前記電極接合部に向かって延びる前記セパレータは、前記積層方向他端側において前記最外層の前記未塗工部に配置されている請求項１に記載の蓄電装置。
【請求項４】
前記蓄電装置は二次電池である請求項１〜請求項３のうちいずれか一項に記載の蓄電装置。
【発明の詳細な説明】
【技術分野】
【０００１】
本発明は、絶縁カバーを備える蓄電装置に関する。
【背景技術】
【０００２】
ＥＶ（Electric Vehicle）やＰＨＶ（Plug in Hybrid Vehicle）などの車両には、走行用モータへの供給電力を蓄える蓄電装置としての二次電池が搭載されている。一般に、二次電池は、電極組立体を収容するケースを備え、そのケース内に電極組立体が収容されている。そして、二次電池からの電力の取り出しは、電極組立体の正極電極及び負極電極に、導電部材を介して接続された電極端子を通して行われている。
【０００３】
一般に、二次電池のケースには耐久性に優れるアルミニウム等の金属製ケースが多用されている。金属製のケースと電極組立体を絶縁するため、電極組立体とケースの間には絶縁フィルムが配置されている。
【０００４】
特許文献１に開示の蓄電装置においては、正極集電部材及び負極集電部材における集電群との接続面が電極組立体と対向するように正極集電部材及び負極集電部材を配設し、ケース内では、断面Ｕ字状の絶縁部材が、正極集電部材及び負極集電部材とケースの端子壁との間に配設されるとともに、対向面と端子壁とを離間させている。
【先行技術文献】
【特許文献】
【０００５】
【特許文献１】再公表ＷＯ２０１３／１５７４３３号公報
【発明の概要】
【発明が解決しようとする課題】
【０００６】
ところが、絶縁フィルムによって電極組立体とケースを絶縁する構成において、タブ群の最外層とケースとを絶縁するには、絶縁フィルムを電極組立体の活物質層だけでなくタブ群の位置まで配置しなければない。そのため、例えば、図９に示すように、電極組立体１００から延びる未塗工部群１０１を導電部材１０２に接合するとともに蓋１０４を貫通する端子１０５を導電部材１０２に接合し、上面開口部を有するケース本体１０６に電極組立体１００を挿入した後にケース本体１０６の上面開口部を蓋１０４で塞ぐ場合において、端子１０５を導電部材１０２に接合した後に断面Ｕ字状の絶縁部材１０３を電極組立体１００に装着することはできず端子１０５を導電部材１０２に接合する前に断面Ｕ字状の絶縁部材１０３を電極組立体１００に装着することになり工程の削減が求められる。
【０００７】
本発明の目的は、容易に未塗工部群とケースを絶縁できる蓄電装置を提供することにある。
【課題を解決するための手段】
【０００８】
上記問題点を解決するための蓄電装置は、異なる極性の複数の電極が互いにセパレータにより絶縁されて積層された状態の電極組立体と、前記電極の一辺から突出した形状の未塗工部を同じ極性同士で積層し、前記電極組立体の端面から突出した形状の未塗工部群と、前記電極組立体及び前記未塗工部群を収容したケースと、前記電極組立体と前記ケースとを絶縁する絶縁フィルムと、前記ケースの壁部から前記電極組立体に向けて突出した基部を有し、前記壁部に固定された各極性の電極端子と、同じ極性の前記電極の前記未塗工部群と接合された電極接合部、及び同じ極性の前記電極端子の前記基部と接合された端子接続部を有し、前記ケースの壁部と該壁部に対峙した前記電極組立体の端面との間に配置された一対の導電部材と、一対の前記電極接合部と前記壁部との間に介在する第１絶縁部、及び前記電極の積層方向のいずれか一端側に位置し、両極性の前記電極接合部及び前記未塗工部群と前記ケースとの間に介在する第２絶縁部を有する絶縁カバーと、を備える蓄電装置であって、前記電極の積層方向のうち、前記第２絶縁部の位置する一端側とは異なる他端側に位置し、かつ前記未塗工部群の最外層に位置する前記未塗工部を被覆し、前記未塗工部群と前記ケースとを絶縁する絶縁膜を備えるとともに、前記電極の積層方向のうち、前記第２絶縁部の位置する一端側とは異なる他端側に位置し、かつ最外層に位置する前記セパレータが前記電極接合部に向かって延びていることを要旨とする。
【０００９】
これによれば、ケースの壁部に対し電極端子と導電部材を一体化しておき、導電部材に未塗工部群を接合して電極組立体を一体化した状態で電極組立体をケース内に収容する際に、絶縁カバーは、ケースの壁部と電極接合部との間に絶縁カバーの第１絶縁部を差し込んで装着することができる。このため、電極組立体の端面から突出した未塗工部群については、積層方向のいずれか一端側は絶縁カバーの第２絶縁部によってケースと絶縁でき、また、他端側は未塗工部群の最外層に位置する未塗工部が絶縁膜で被覆されているとともに最外層に位置するセパレータが電極接合部に向かって延びているので、未塗工部群の積層方向他端側とケースを絶縁できる。よって、容易に未塗工部群とケースを絶縁できる。
【００１０】
また、蓄電装置について、前記未塗工部群は、複数の前記未塗工部を前記積層方向の一端に寄せ集め、かつ積層方向の他端に向けて折り曲げられた構造を有し、前記絶縁カバーの前記第２絶縁部は、前記積層方向他端側に配置されて前記最外層の前記未塗工部の先端部と前記ケースとの間に介在し、前記絶縁膜は、前記積層方向一端側において前記最外層の前記未塗工部の基端部を被覆し、前記電極接合部に向かって延びる前記セパレータは、前記積層方向一端側において前記最外層の前記未塗工部の基端部に配置されているとよい。
【００１１】
また、蓄電装置について、前記未塗工部群は、複数の前記未塗工部を前記積層方向の一端に寄せ集め、かつ積層方向の他端に向けて折り曲げられた構造を有し、前記絶縁カバーの前記第２絶縁部は、前記積層方向一端側に配置されて前記最外層の前記未塗工部の基端部と前記ケースとの間に介在し、前記絶縁膜は、前記積層方向他端側において前記最外層の前記未塗工部を被覆し、前記電極接合部に向かって延びる前記セパレータは、前記積層方向他端側において前記最外層の前記未塗工部に配置されているとよい。
【００１２】
前記蓄電装置は二次電池である。
【発明の効果】
【００１３】
本発明によれば、容易に未塗工部群とケースを絶縁できる。
【図面の簡単な説明】
【００１４】
【図１】実施形態の二次電池を示す分解斜視図。
【図２】二次電池を示す断面図。
【図３】電極組立体の構成要素を示す分解斜視図。
【図４】二次電池内を示す側断面図。
【図５】二次電池内を示す側断面図。
【図６】絶縁カバーを装着する状態を示す側断面図。
【図７】別例の二次電池内を示す側断面図。
【図８】別例の二次電池内を示す側断面図。
【図９】課題を説明するための分解斜視図。
【発明を実施するための形態】
【００１５】
以下、蓄電装置を二次電池に具体化した一実施形態を図１〜図６にしたがって説明する。
図１，２に示すように、蓄電装置としての二次電池１０は、直方体状のケース１１を備え、このケース１１内に電極組立体１２が収容されている。ケース１１は、有底四角筒状の金属製（例えば、アルミニウム製又はアルミニウム合金製）のケース本体１１ａと、ケース本体１１ａの開口部を塞ぐ蓋１１ｂとを有する。ケース１１内には図示しない電解質（電解液）が収容されている。本実施形態の二次電池１０は、リチウムイオン二次電池である。
【００１６】
図３に示すように、電極組立体１２は、正極電極１４を収納した電極収納セパレータ２０と、負極電極２４とをそれぞれ複数有する。電極組立体１２は、複数の電極収納セパレータ２０と複数の負極電極２４とを交互に積層して層状とした構造である。正極電極１４と負極電極２４とが、電極収納セパレータ２０の単層セパレータ２１を間に挟んだ状態で交互に積層されている。本実施形態では、正極電極１４、単層セパレータ２１、及び負極電極２４が何れも長方形状である。電極収納セパレータ２０及び負極電極２４が積層された方向を電極の積層方向とする。
【００１７】
正極電極１４は、矩形シート状の正極金属箔（例えばアルミニウム箔）１５と、正極金属箔１５の両面に存在する正極活物質層１６と、を有する。正極電極１４は、一対の長辺に沿う縁部のうちの一方の縁部に第１の縁部１４ａを備える。正極電極１４は、第１の縁部１４ａに沿って正極金属箔１５の露出した未塗工部１５ａを備える。未塗工部１５ａは、第１の縁部１４ａの一部から突出した形状の正極のタブ１７を含む。未塗工部１５ａは、正極金属箔１５において正極活物質層１６が塗工されず、正極金属箔１５そのもので構成された部分である。
【００１８】
本実施形態では、第１の縁部１４ａに沿う辺が正極電極１４の一辺となる。また、正極電極１４は、第１の縁部１４ａの対辺となる他方の長辺に沿う縁部に第２の縁部１４ｂを備え、第１の縁部１４ａと第２の縁部１４ｂ同士を繋ぐ一対の短辺に沿う縁部に第３の縁部１４ｃを備える。
【００１９】
負極電極２４は、矩形シート状の負極金属箔（例えば銅箔）２５と、負極金属箔２５の両面に存在する負極活物質層２６と、を有する。負極電極２４は、一対の長辺のうちの一方の長辺に沿う縁部に第１の縁部２４ａを備える。負極電極２４は、第１の縁部２４ａの一部から突出した形状の未塗工部としての負極のタブ２７を有する。負極のタブ２７は、負極金属箔２５において負極活物質層２６が塗工されず、負極金属箔２５そのもので構成された部分である。
【００２０】
本実施形態では、第１の縁部２４ａに沿う辺が負極電極２４の一辺となる。また、負極電極２４は、第１の縁部２４ａの対辺となる他方の長辺に沿う縁部に第２の縁部２４ｂを備え、第１の縁部２４ａと第２の縁部２４ｂ同士を繋ぐ一対の短辺に沿う縁部に第３の縁部２４ｃを備える。
【００２１】
負極電極２４の第１の縁部２４ａの長さは、正極電極１４の第１の縁部１４ａの長さより長く、負極電極２４の第２の縁部２４ｂの長さは、正極電極１４の第２の縁部１４ｂの長さより長い。さらに、負極電極２４の第３の縁部２４ｃの長さは、正極電極１４の第３の縁部１４ｃの長さより長い。よって、負極電極２４は、正極電極１４より一回り大きく、負極活物質層２６は、正極活物質層１６より一回り大きい。
【００２２】
電極収納セパレータ２０は、互いに対峙する矩形シート状の単層セパレータ２１を含む。各単層セパレータ２１は、何れも絶縁性を有する樹脂製（例えばポリエチレン製）である。２枚の単層セパレータ２１は同形状、かつ同サイズであり、正極電極１４よりも一回り大きなサイズである。
【００２３】
各単層セパレータ２１は、正極電極１４を重ねた状態において、正極電極１４の第１〜第３の縁部１４ａ〜１４ｃからはみ出したはみ出し部２２を有する。電極収納セパレータ２０は、単層セパレータ２１のはみ出し部２２同士を溶着して製造されている。電極収納セパレータ２０の溶着部は、正極電極１４の四辺である第１〜第３の縁部１４ａ〜１４ｃに沿ってはみ出し部２２を溶着して形成されている。電極収納セパレータ２０の一辺からは正極電極１４のタブ１７が突出している。
【００２４】
電極組立体１２は、図示しない保持テープによって積層状態が保持され、正極活物質層１６の全面が、単層セパレータ２１を介して負極活物質層２６に対峙した状態が維持されている。また、電極組立体１２において、積層方向の両端には、負極電極２４が位置している。
【００２５】
電極組立体１２において、複数の電極収納セパレータ２０と複数の負極電極２４とは、正極のタブ１７同士が積層方向に沿って列状に配置され、かつ負極のタブ２７同士が積層方向に沿って列状に配置される状態に積層される。
【００２６】
図２又は図３に示すように、電極組立体１２は、蓋１１ｂに対峙した端面にタブ側端面１２ａを備える。電極組立体１２は、タブ側端面１２ａに、未塗工部群としての正極のタブ群１７ａ及び負極のタブ群２７ａを備える。タブ側端面１２ａは、電極収納セパレータ２０の縁部及び負極電極２４の第１の縁部２４ａが積層されて構成されている。正極のタブ群１７ａは、正極のタブ１７が積層されることによって構成され、負極のタブ群２７ａは負極のタブ２７が積層されることによって構成されている。
【００２７】
図４に示すように、タブ群２７ａにおいて、電極組立体１２の積層方向の一端に位置するタブ２７を第１タブ２７１と記載する。タブ群２７ａにおいて、電極組立体１２の積層方向の他端に位置するタブ２７を第２タブ２７２と記載する。図５に示すように、タブ群１７ａにおいて、電極組立体１２の積層方向の一端に位置するタブ１７を第１タブ１７１と記載する。タブ群１７ａにおいて、電極組立体１２の積層方向の他端に位置するタブ１７を第２タブ１７２と記載する。
【００２８】
タブ群１７ａ，２７ａにおいては、第１タブ１７１，２７１に第２タブ１７２，２７２が接近するように、積層方向の一端側にタブ１７，２７が寄せ集められている。これにより、積層段階で独立していた各タブ１７，２７は、第１タブ１７１，２７１側に集約されている。
【００２９】
本実施形態において、各タブ１７，２７は同じ大きさに形成されている。このため、電極組立体１２の積層方向において、第１タブ１７１，２７１からの離間距離が長いタブ１７，２７ほど、タブ群１７ａ，２７ａとして集約されるタブ１７，２７の長さが短い。このため、全てのタブ１７，２７を導通させるための導通部Ｗは、第２タブ１７２，２７２における他のタブ１７，２７との重合領域に合わせて設けられている。また、タブ群１７ａ，２７ａにおいて、導通部Ｗよりも先端側では、全てのタブ１７，２７が自由端となっている。
【００３０】
このように、二次電池１０は、異なる極性の複数の電極としての正極電極１４及び負極電極２４が互いにセパレータ２０により絶縁されて積層された状態の電極組立体１２と、電極の一辺から突出した形状の未塗工部としてのタブ１７，２７を同じ極性同士で積層し、電極組立体１２の端面から突出した形状の未塗工部群としてのタブ群１７ａ，２７ａと、電極組立体１２及びタブ群１７ａ，２７ａを収容したケース１１とを備える。
【００３１】
図１，２に示すように、二次電池１０に備えられた負極導電部材４２は電極組立体１２と負極端子４０とを電気的に接続する。負極導電部材４２は、負極のタブ群２７ａと接合された平板状の電極接合部４２ａを長手方向一端側に備える。また、負極導電部材４２は、負極端子４０と接合された平板状の端子接続部４２ｂを長手方向他端側に備え、電極接合部４２ａと端子接続部４２ｂは長手方向に連続している。そして、負極のタブ群２７ａと負極導電部材４２とは、図４に示すように、第１タブ２７１に負極導電部材４２が当接した状態でレーザ溶接を行い、導通部Ｗを形成することで接合されるとともに、電気的に接続されている（導通している）。
【００３２】
図１，２に示すように、二次電池１０に備えられた正極導電部材３２は電極組立体１２と正極端子３０とを電気的に接続する。正極導電部材３２は、正極のタブ群１７ａと接合された平板状の電極接合部３２ａを長手方向一端側に備える。また、正極導電部材３２は、正極端子３０と接合された平板状の端子接続部３２ｂを長手方向他端側に備え、電極接合部３２ａと端子接続部３２ｂは長手方向に連続している。そして、正極のタブ群１７ａと正極導電部材３２とは、図５に示すように第１タブ１７１に正極導電部材３２が当接した状態でレーザ溶接を行い、導通部Ｗを形成することで接合されるとともに、電気的に接続されている（導通している）。
【００３３】
図１，２に示すように、正極の電極端子としての正極端子３０はケース１１の外側に突出する状態で蓋１１ｂに固定されている。負極の電極端子としての負極端子４０はケース１１の外側に突出する状態で蓋１１ｂに固定されている。本実施形態では、蓋１１ｂがケース１１の壁部を構成する。
【００３４】
正極端子３０は、ケース１１の外側に突出する形状の極柱部３０ａを有する。極柱部３０ａの外周面には雄ねじ（図示せず）が螺刻されている。極柱部３０ａにはナット３１が螺合されている。正極端子３０は、ケース１１の内側に突出する形状の基部３０ｂを有する。正極端子３０の軸方向に基部３０ｂと極柱部３０ａが連続している。
【００３５】
正極端子３０は、基部３０ｂとナット３１とで蓋１１ｂを挟んだ状態で蓋１１ｂに締結されている。なお、正極端子３０の基部３０ｂと蓋１１ｂとは、図示しない絶縁部材によって絶縁されている。また、正極端子３０の基部３０ｂには、正極導電部材３２の端子接続部３２ｂが接合されている。
【００３６】
負極端子４０は、ケース１１の外側に突出する形状の極柱部４０ａを有する。極柱部４０ａの外周面には雄ねじ（図示せず）が螺刻されている。極柱部４０ａにはナット４１が螺合されている。負極端子４０は、ケース１１の内側に突出する形状の基部４０ｂを有する。負極端子４０の軸方向に極柱部４０ａと基部４０ｂが連続している。
【００３７】
負極端子４０は、基部４０ｂとナット４１とで蓋１１ｂを挟んだ状態で蓋１１ｂに締結されている。なお、負極端子４０の基部４０ｂと蓋１１ｂとは、図示しない絶縁部材によって絶縁されている。また、負極端子４０の基部４０ｂには、負極導電部材４２の端子接続部４２ｂが接合されている。
【００３８】
このように、二次電池１０は、ケースの壁部としての蓋１１ｂから電極組立体１２に向けて突出した基部３０ｂ，４０ｂを有し、蓋１１ｂ（ケースの壁部）に固定された各極性の電極端子としての正極端子３０及び負極端子４０と、同じ極性の電極の未塗工部群としてのタブ群１７ａ，２７ａと接合された電極接合部３２ａ，４２ａ、及び同じ極性の電極端子の基部３０ｂ，４０ｂと接合された端子接続部３２ｂ，４２ｂを有し、蓋１１ｂ（ケースの壁部）と、該蓋１１ｂに対峙した電極組立体１２の端面との間に配置された一対の導電部材としての正極導電部材３２及び負極導電部材４２と、を備える。
【００３９】
二次電池１０に備えられた絶縁カバー５０は、ケース１１内において負極導電部材４２及び正極導電部材３２と、蓋１１ｂとを絶縁する。絶縁カバー５０は、例えば樹脂などで構成されている。
【００４０】
図１，４，５に示すように、絶縁カバー５０は、長方形板状の第１絶縁部５１と、この第１絶縁部５１の一つの長側縁から電極組立体１２に向けて突出した形状の第２絶縁部５２とを有している。絶縁カバー５０は、短手方向に沿う断面視がＬ字状である。
【００４１】
第１絶縁部５１は、正極導電部材３２の電極接合部３２ａと、負極導電部材４２の電極接合部４２ａとに跨っている。また、第１絶縁部５１は、電極接合部３２ａ，４２ａと、蓋１１ｂとの間に介在する。
【００４２】
第２絶縁部５２は、第１絶縁部５１の長側縁のうち各タブ群１７ａ，２７ａの先端寄りの長側縁から突出している。第２絶縁部５２は、各タブ群１７ａ，２７ａの先端部を積層方向の他端側から覆っている。なお、各タブ群１７ａ，２７ａの先端部とは、各タブ群１７ａ，２７ａのタブ１７，２７の１枚１枚によって構成されている。また、各タブ群１７ａ，２７ａの先端部とは、導通部Ｗよりも先の部分である。第２絶縁部５２は、両方のタブ群１７ａ，２７ａの先端部と、ケース本体１１ａの内壁面との間に介在し、それらタブ群１７ａ，２７ａと、ケース本体１１ａとを絶縁している。よって、第２絶縁部５２は、両極性の電極接合部３２ａ，４２ａ及びタブ群１７ａ，２７ａとケース本体１１ａとの間に介在する。
【００４３】
このように、二次電池１０は、一対の電極接合部３２ａ，４２ａと蓋１１ｂ（ケースの壁部）との間に介在する第１絶縁部５１、及び電極の積層方向のいずれか一端側に位置し、両極性の電極接合部３２ａ，４２ａ及びタブ群１７ａ，２７ａとケース１１との間に介在する第２絶縁部５２を有する絶縁カバー５０を備える。
【００４４】
二次電池１０に備えられた絶縁フィルム１３は、ケース本体１１ａ内において電極組立体１２とケース１１とを絶縁する。絶縁フィルム１３は、ケース本体１１ａの底壁の内面全面、四側壁の内面の一部を覆う。絶縁フィルム１３において、蓋１１ｂ寄りの端縁を上端縁１３ａとする。絶縁フィルム１３の上端縁１３ａは、負極活物質層２６における蓋１１ｂ寄りの端縁である第１の縁部２４ａより若干高い位置にある。絶縁フィルム１３は、負極活物質層２６の全面を覆っている。
【００４５】
図１，３，４に示すように、二次電池１０に備えられた絶縁膜５５は、タブ群２７ａの基端部をケース本体１１ａから絶縁する。絶縁膜５５として耐熱層を用いており、絶縁膜５５は絶縁性および耐熱性を有する無機材料よりなる。詳しくは、最外層の負極電極２４には、タブ２７の根元付近に耐熱層よりなる絶縁膜５５が塗布されている。絶縁膜５５は、タブ群２７ａにおいて、積層方向一端に位置する最外層のタブである第１タブ２７１の基端部を被覆している。絶縁膜５５は、第１タブ２７１の両面のうちの少なくとも外層側の面に塗布されていればよく、両面に塗布されていてもよい。絶縁膜５５は、第１タブ２７１の短手方向の全体を覆う状態に被覆されている。また、絶縁膜５５は、第１タブ２７１の曲げ部よりも根元寄りの部分を覆う状態に被覆されている。つまり、タブ群２７ａの溶接に関与しない部位に絶縁膜５５が塗布されており、タブ２７全域にわたり絶縁膜５５が塗布されている場合の溶接がやりにくくなるのを回避している。
【００４６】
図４に示すように、ケース１１内において、絶縁膜５５は、絶縁フィルム１３の上端縁１３ａよりも蓋１１ｂ寄りにあり、ケース本体１１ａの内壁面のうち、絶縁フィルム１３に覆われずに露出した部位に対向している。絶縁膜５５は、タブ群２７ａの基端部において、最外層の第１タブ２７１と、露出したケース本体１１ａの内壁面との間に介在する。絶縁膜５５は、タブ群２７ａの基端部とケース本体１１ａとを絶縁する。
【００４７】
このように、二次電池１０は、電極の積層方向のうち、第２絶縁部５２の位置する一端側とは異なる他端側に位置し、かつタブ群２７ａの最外層に位置するタブ２７１を被覆し、タブ群２７ａとケース１１とを絶縁する絶縁膜５５を備える。電極組立体１２において、タブ群２７ａの積層方向一端側は、絶縁膜５５によりケース本体１１ａと絶縁されている。
【００４８】
図１，３，５に示すように、セパレータ２０に包まれた正極電極１４において、電極の積層方向のうち、第２絶縁部５２の位置する一端側とは異なる他端側に位置し、かつ最外層に位置するセパレータ２０１においては、セパレータ突出部５６が電極接合部３２ａに向かって延びている。セパレータ突出部５６は、積層方向一端側において最外層のタブ１７１の基端部を被覆し、電極接合部３２ａに向かって延び、積層方向一端側において最外層のタブ１７１の基端部を包んでいる。
【００４９】
図３に示すように、最外層の正極電極１４を包むセパレータ２０１は、その高さを、他のものよりも所定高さΔＨだけ高くしたセパレータ突出部５６を有する。セパレータ突出部５６は、タブ群１７ａにおいて、積層方向一端に位置する最外層のタブである第１タブ１７１の基端部を覆っている。図５に示すように、ケース１１内において、セパレータ突出部５６は、絶縁フィルム１３の上端縁１３ａよりも蓋１１ｂ寄りにあり、ケース本体１１ａの内壁面のうち、絶縁フィルム１３に覆われずに露出した部位に対向している。セパレータ突出部５６は、タブ群１７ａの基端部において、最外層の第１タブ１７１と、露出したケース本体１１ａの内壁面との間に介在する。セパレータ突出部５６は、タブ群１７ａの基端部とケース本体１１ａとを絶縁する。即ち、セパレータ突出部５６がタブ１７に対する絶縁部材となる。
【００５０】
このように、二次電池１０は、電極の積層方向のうち、第２絶縁部５２の位置する一端側とは異なる他端側に位置し、かつ最外層に位置するセパレータ２０１が電極接合部３２ａに向かって延びている。つまり、セパレータ２０に包まれた正極電極１４において、電極の積層方向のうち、第２絶縁部５２の位置する一端側とは異なる他端側に位置し、かつ最外層に位置するセパレータ２０１が電極接合部３２ａに向かって延びている。
【００５１】
各タブ群１７ａ，２７ａの積層方向他端側は、絶縁カバー５０の第２絶縁部５２によってケース本体１１ａと絶縁されているので、絶縁カバー５０と絶縁膜５５とセパレータ突出部５６により、タブ群１７ａ，２７ａがケース本体１１ａから絶縁されている。特に、未塗工部群としてのタブ群１７ａ，２７ａは、複数の未塗工部としてのタブ１７，２７を積層方向の一端に寄せ集め、かつ積層方向の他端に向けて折り曲げられた構造を有し、絶縁カバー５０の第２絶縁部５２は、積層方向他端側に配置されて最外層の未塗工部としてのタブ１７，２７の先端部とケース１１との間に介在し、絶縁膜５５は、積層方向一端側において最外層の未塗工部としてのタブ２７１の基端部を被覆し、電極接合部３２ａに向かって延びるセパレータ２０１は、積層方向一端側において最外層の未塗工部としてのタブ１７１の基端部に配置されている。
【００５２】
次に、二次電池１０の製造方法を説明する。
まず、電極組立体１２を製造する。予め決められた枚数の電極収納セパレータ２０と負極電極２４を準備する。このとき、最外層に位置する負極電極２４の負極のタブ２７の基端部に絶縁膜５５が塗布されている。また、セパレータ２０に包まれた正極電極１４において、電極の積層方向のうち、第２絶縁部の位置する一端側とは異なる他端側に位置し、かつ最外層に位置するセパレータ２０１はセパレータ突出部５６が電極接合部３２ａに向かって延びている。
【００５３】
そして、電極収納セパレータ２０と負極電極２４とを交互に積み重ねつつ、正極のタブ１７と負極のタブ２７それぞれを積み重ねる。絶縁膜５５が塗布された負極電極２４およびセパレータ２０１を含めた電極収納セパレータ２０を積み重ねると、積み重ね工程が完了する。各タブ１７，２７を積層方向一端に寄せ集めた後、基端寄りから積層方向他端に向けて折り曲げる。絶縁膜５５及びセパレータ突出部５６は、各タブ群１７ａ，２７ａの基端寄りに存在する。
【００５４】
次に、蓋１１ｂを貫通した正極端子３０の極柱部３０ａにナット３１を螺合して正極端子３０を蓋１１ｂに締結する。また、蓋１１ｂを貫通した負極端子４０の極柱部４０ａにナット４１を螺合して負極端子４０を蓋１１ｂに締結する。このとき、基部３０ｂ，４０ｂと蓋１１ｂとの間に絶縁部材を介在させる。
【００５５】
次に、正極端子３０の基部３０ｂに正極導電部材３２の端子接続部３２ｂを接合し、負極端子４０の基部４０ｂに負極導電部材４２の端子接続部４２ｂを接合する。すると、蓋１１ｂに対し、正極端子３０及び負極端子４０と、正極導電部材３２及び負極導電部材４２とが一体化された構造体４４が形成される。
【００５６】
次に、構造体４４の正極導電部材３２の電極接合部３２ａと正極のタブ群１７ａとをレーザ溶接によって接合する。また、構造体４４の負極導電部材４２の電極接合部４２ａと電極組立体１２の負極のタブ群２７ａとをレーザ溶接によって接合する。すると、蓋１１ｂと電極組立体１２とが一体化される。
【００５７】
次に、図６に示すように、両方の電極接合部３２ａ，４２ａと、蓋１１ｂの内面との間に絶縁カバー５０の第１絶縁部５１を差し込む。このとき、第１絶縁部５１を、電極組立体１２の積層方向他端側から差し込む。すると、第２絶縁部５２により、両方のタブ群１７ａ，２７ａの積層方向他端側となる先端部が覆われる。
【００５８】
次に、蓋１１ｂと一体化された電極組立体１２をケース本体１１ａ内に挿入し、蓋１１ｂをケース本体１１ａの開口端に載せた状態で、ケース本体１１ａと蓋１１ｂを接合する。すると、ケース１１が形成されるとともに、二次電池１０が完成する。
【００５９】
上記実施形態によれば、以下のような効果を得ることができる。
（１）絶縁膜５５が、電極の積層方向のうち、第２絶縁部５２の位置する一端側とは異なる他端側に位置し、かつタブ群２７ａの最外層に位置するタブ２７１を被覆し、タブ群２７ａとケース１１とを絶縁している。また、電極の積層方向のうち、第２絶縁部５２の位置する一端側とは異なる他端側に位置し、かつ最外層に位置するセパレータ２０１が、電極接合部３２ａに向かって延びている。これにより、蓋１１ｂ（ケースの壁部）に対し正極電極１４及び負極電極２４と正極導電部材３２及び負極導電部材４２を一体化しておき、正極導電部材３２及び負極導電部材４２にタブ群１７ａ，２７ａを接合して電極組立体１２を一体化した状態で電極組立体１２をケース１１内に収容する際に、絶縁カバー５０は、蓋１１ｂ（ケースの壁部）と電極接合部３２ａ，４２ａとの間に絶縁カバー５０の第１絶縁部５１を差し込んで装着することができる。このため、電極組立体１２の端面から突出したタブ群１７ａ，２７ａについては、積層方向のいずれか一端側は絶縁カバー５０の第２絶縁部５２によってケース１１と絶縁でき、また、他端側はタブ群２７ａの最外層に位置するタブ２７１が絶縁膜５５で被覆されているとともに最外層に位置するセパレータ２０１が電極接合部３２ａに向かって延びているので、タブ群１７ａ，２７ａの積層方向他端側とケース１１を絶縁できる。よって、容易にタブ群１７ａ，２７ａ（未塗工部群）とケース１１を絶縁できる。
【００６０】
また、タブ群２７ａの最外層は絶縁膜５５によってケース１１と絶縁されているとともに、タブ群１７ａの最外層はセパレータ２０１によってケース１１と絶縁されている。このため、タブ群１７ａ，２７ａとケース１１とを絶縁するために、絶縁フィルム１３の上端縁１３ａをタブ群１７ａ，２７ａの高さにまで延長する必要がない。
【００６１】
（２）未塗工部群としてのタブ群１７ａ，２７ａは、複数の未塗工部としてのタブ１７，２７を積層方向の一端に寄せ集め、かつ積層方向の他端に向けて折り曲げられた構造を有し、絶縁カバー５０の第２絶縁部５２は、積層方向他端側に配置されて最外層の未塗工部としてのタブ１７，２７の先端部とケース１１との間に介在し、絶縁膜５５は、積層方向一端側において最外層の未塗工部としてのタブ２７１の基端部を被覆し、電極接合部３２ａに向かって延びるセパレータ２０１は、積層方向一端側において最外層の未塗工部としてのタブ１７１の基端部に配置されている。よって、実用的である。
【００６２】
なお、上記実施形態は以下のように変更してもよい。
○  図７及び図８に示すように、未塗工部群としてのタブ群１７ａ，２７ａは、複数の未塗工部としてのタブ１７，２７を積層方向の一端に寄せ集め、かつ積層方向の他端に向けて折り曲げられた構造を有し、絶縁カバー５０の第２絶縁部５２は、積層方向一端側に配置されて最外層の未塗工部としてのタブ１７１，２７１の基端部とケース１１との間に介在し、絶縁膜５５は、積層方向他端側において最外層の未塗工部としてのタブ２７２を被覆している。電極接合部３２ａに向かって延びるセパレータ２０２は、積層方向他端側において最外層の未塗工部としてのタブ１７２に配置されている。構造体４４に対し絶縁カバー５０を装着する際、絶縁カバー５０の第１絶縁部５１を、積層方向の一端側から蓋１１ｂと両方の電極接合部３２ａ，４２ａとの間に差し込む。第２絶縁部５２によって、各タブ群１７ａ，２７ａの基端部とケース本体１１ａの内壁面とを絶縁する。この場合、タブ群２７ａの最外層の第２タブ２７２に絶縁膜５５を塗布し、絶縁膜５５により、タブ群２７ａとケース本体１１ａとを絶縁する。また、最外層のセパレータ２０２においてセパレータ突出部５６を設けることによりタブ群１７ａとケース本体１１ａとを絶縁する。
【００６３】
このように構成した場合、差込タイプの絶縁カバー５０の差込方向を実施形態と反対にしても、絶縁カバー５０の第２絶縁部５２で覆われていない端部に絶縁膜５５を塗布するとともにセパレータ突出部５６を設けることで、正極のタブ群１７ａ及び負極のタブ群２７ａの積層方向両端をケース１１から絶縁することができる。
【００６４】
○  正極電極１４を単層セパレータ２１で包んで電極収納セパレータ２０とし、正極電極１４と負極電極２４を単層セパレータ２１で絶縁したが、正極電極１４と負極電極２４の間に１枚ずつセパレータを介在させて正極電極１４と負極電極２４を絶縁してもよい。
【００６５】
つまり、上記実施形態では、異なる極性の電極のうちの一方の電極がセパレータに包まれた状態で、異なる極性の複数の電極が互いにセパレータにより絶縁されて積層された状態の電極組立体を備えている。そして、セパレータに包まれた電極において、電極の積層方向のうち、第２絶縁部の位置する一端側とは異なる他端側に位置し、かつ最外層に位置するセパレータが前記電極接合部に向かって延びていた。これに限ることなく、電極の積層方向のうち、第２絶縁部の位置する一端側とは異なる他端側に位置し、かつ最外層に位置するセパレータが電極接合部に向かって延びていればよい。
【００６６】
○  正極のタブ群１７ａ及び負極のタブ群２７ａは、積層方向一端に寄せ集め、かつ積層方向他端に向けて折り曲げた構造でなくてもよい。例えば、正極のタブ１７及び負極のタブ２７を積層方向の中央に寄せ集めた構造でもよい。
【００６７】
○  負極電極２４が、第１の縁部２４ａに沿って負極金属箔２５の露出した未塗工部を備える場合、その未塗工部を積層した未塗工部群に絶縁膜５５を塗布してもよい。
○  正極端子３０及び負極端子４０は、螺子部にナット３１，４１を螺合して蓋１１ｂに固定したが、正極端子３０及び負極端子４０を蓋１１ｂに固定する方法は、締結以外にもカシメ等の他の方法でもよい。
【００６８】
○  ケース１１の壁部は、ケース本体１１ａの側壁であってもよい。
○  二次電池１０は、リチウムイオン二次電池であったが、これに限らず、ニッケル水素化物電池といった他の二次電池であってもよい。要するに、正極活物質と負極活物質との間をイオンが移動するとともに電荷の授受を行うものであればよい。
【００６９】
○  電気二重層キャパシタ等の蓄電装置に具体化してもよい。
次に、上記実施形態及び別例から把握できる技術的思想について以下に追記する。
（１）前記未塗工部は、前記電極の一辺の一部から突出した形状のタブである蓄電装置。
【符号の説明】
【００７０】
１０…蓄電装置としての二次電池、１１…ケース、１１ｂ…壁部としての蓋、１２…電極組立体、１３…絶縁フィルム、１４…電極としての正極電極、１５ａ…未塗工部、１７…未塗工部としてのタブ、２０…セパレータ、２４…電極としての負極電極、１７ａ，２７ａ…未塗工部群としてのタブ群、２７…未塗工部としてのタブ、３０…電極端子としての正極端子、３０ｂ，４０ｂ…基部、３２…導電部材としての正極導電部材、３２ａ，４２ａ…電極接合部、３２ｂ，４２ｂ…端子接続部、４０…電極端子としての負極端子、４２…導電部材としての負極導電部材、５０…絶縁カバー、５１…第１絶縁部、５２…第２絶縁部、５５…絶縁膜、５６…セパレータ突出部、２０１…セパレータ、２０２…未塗工部としてのタブ、２７１…未塗工部としてのタブ、２７２…未塗工部としてのタブ。
【図１】
2018006112.tif 000003
【図２】
2018006112.tif 000004
【図３】
2018006112.tif 000005
【図４】
2018006112.tif 000006
【図５】
2018006112.tif 000007
【図６】
2018006112.tif 000008
【図７】
2018006112.tif 000009
【図８】
2018006112.tif 000010
【図９】
2018006112.tif 000011